【事件の表示】
　平成　８年特許願第２５４７０８号「ビデオ装置」拒絶査定不服審判事件〔平成１０年　４月２４日出願公開、特開平１０−１０８１６３〕について、次のとおり審決する。
【結　論】
　本件審判の請求は、成り立たない。
【理　由】
　
第１.手続
　
１.経緯
　本願は、平成８年９月２６日の出願であって、平成１６年１２月９日付けで拒絶査定された。
　本件は、本願についてされた上記拒絶査定を不服とする平成１７年１月１３日の審判請求であり、同年２月１４日付けで手続補正書が提出されたが、同補正は、平成１９年３月２８日付けで決定をもって却下され、その後、当審が同日付けで通知した拒絶理由に対して平成１９年６月４日付けで手続補正書が提出された。
　
２.当審が通知した拒絶理由
　当審が平成１９年３月２８日付けで通知した拒絶理由は、概略、以下のとおりである。
　　　　　　　　　　　　　　　理　由
　この出願の請求項１ないし３に係る発明は、その出願前日本国内において頒布された下記の刊行物１、２に記載された発明に基づいて、その出願前にその発明の属する技術の分野における通常の知識を有するものが容易に発明をすることができたものであるから、特許法第２９条第２項の規定により特許を受けることができない。
　　　　　　　　　　　　　　　　記
　刊行物１：特開平３−１０１４８７号公報
　刊行物２：特開平４−１３７８８６号公報
　
　
　
　
第２.本願発明
　本願請求項１に係る発明は、平成１９年６月４日付け手続補正書により補正された特許請求の範囲の請求項１に記載された事項により特定される以下のとおりのもの（以下「本願発明」という）である。
　
「複数ｎのビデオカメラで撮像して得られる映像情報に対し、複数入力長時間間欠記録モードとフル画面連続記録モードとを選択可能なビデオ装置において、
　前記複数入力長時間間欠記録モードが選択された際、前記複数ｎのビデオカメラから得られるｎ系統の映像情報をそれぞれ縮小し、ｎ分割された各々の異なる映像情報のｎフレーム分を１フレームの映像として合成する映像縮小／合成処理手段と、
　前記映像縮小／合成処理手段から出力される映像情報をＤＣＴ変換してＤＣＴ係数を得るＤＣＴ変換手段と、
　前記ＤＣＴ係数を量子化することにより圧縮処理する映像信号／圧縮手段と、
　前記映像信号／圧縮手段より出力される映像情報を記録媒体に記録するデータ記録手段と、
　通常スピードの１／ｎの走行スピードに制御する記録スピード制御手段と、
　前記複数ｎのビデオカメラから得られるｎ系統の映像情報について、異常発生を検出するセンサと、
　前記センサの検出結果に基づいて、前記ｎ系統の映像情報のうち、前記センサにより異常発生が検出された系統の映像情報を選択する第１のスイッチ手段と、
　前記センサの検出結果に基づいて、複数入力長時間間欠記録モードとフル画面連続記録モードとを自動的に切り換える第２のスイッチ手段と、
　通常は前記複数入力長時間間欠記録モードで前記ｎ系統の映像情報の長時間間欠記録を行っており、前記センサが異常を検出した際、前記センサ、前記第１及び第２のスイッチ手段並びに前記記録スピード制御手段を制御し、直ちに通常スピードのフル画面連続記録モードに移行して、前記センサにより異常発生が検出された系統の映像情報のフル画面連続記録を行う制御手段と
　を有することを特徴とするビデオ装置。」
　
　
　
　
第３.当審の判断
　
１.刊行物
　
［刊行物２］
　上記刊行物２には、図面と共に以下の事項が記載されている。
　
(１)「図１は本発明に係る四画面分割表示装置の適用システムを示したブロック図で、図面に示したように、四つの監視用ビデオカメラ１１〜１４から出力するカメラ映像信号ＣＶ１〜ＣＶ４を本発明の回路部１００で処理してＴＶ受像機２０に四つの分割画面にて表示し、前記カメラ映像信号ＣＶ１〜ＣＶ４及び前記ＴＶ受像機２０に印加する信号中一つの信号を選択してＶＴＲ３０に録画信号として印加するように構成されている。」（段落【０００７】）
　
(２)「監視用ビデオカメラ１１〜１４でカメラ映像信号ＣＶ１〜ＣＶ４が出力すると、該カメラ映像信号ＣＶ１は輝度／色差分離器１１１で輝度信号Ｙ及び色差信号Ｒ−Ｙ、Ｂ−Ｙに分離して出力されると共に同期分離器１１２で水平同期信号ＨＳ及び垂直同期信号ＶＳに分離して出力され、該水平・垂直同期信号ＨＳ−ＶＳは制御部１１５に印加される。このとき、前記輝度信号Ｙ及び色差信号Ｒ−Ｙ、Ｂ−Ｙは制御部１１５の制御を受け選択器１１３で分離された後、その制御部１１５の制御でアナログ／ディジタル変換器１１４においてディジタル信号に変換して制御部１１５に印加される。従って、このとき、その制御部１１５はアナログ／ディジタル変換器１１４の出力信号を順次ラム１１６に記録した後、再び読んで出力するようになるが、この場合、制御部１１５はマイクロコンピュータ１０１の制御を受けＴＶ受像機２０の第１分割領域走査期間に映像信号Ｙ、Ｒ−Ｙ、Ｂ−Ｙを読んで出力するようになり、該映像信号Ｙ、Ｒ−Ｙ、Ｂ−Ｙはラッチ部１１７に一時貯蔵されて出力される。且つ、カメラ映像信号ＣＶ２，ＣＶ３，ＣＶ４も第２，第３，第４映像信号処理部１２０，１３０，１４０で前記第１映像信号処理部１１０と同様に処理された後ＴＶ受像機２０の第２，第３，第４分割領域走査期間に夫々出力される。」（段落【００１０】）
　
(３)「一方、前記第１，第２，第３，第４映像信号処理部１１０，１２０，１３０，１４０でＴＶ受像機２０の第１，第２，第３，第４分割領域走査期間に出力する輝度信号Ｙ、色差信号Ｒ−Ｙ、Ｂ−Ｙ及び前記オンスクリーン発生部１５１で出力するオンスクリーン信号はディジタル／アナログ変換器１５３，１５４，１５５でアナログ信号に変換され、該変換した信号はエンコーダ１５６で同期発生器１５２の同期信号ＨＳ・ＶＳ及びカラーバースト信号と合成されて合成映像信号ＶＯに出力され、該合成映像信号ＶＯはＴＶ受像機２０に印加するため第１〜第４映像信号処理部１１０，１２０，１３０，１４０で出力する映像信号が図３に示したように四つに分割して表示される。・・・前記マイクロコンピュータ１０１の選択信号Ｓ１，Ｓ２に従い前記カメラ映像信号ＣＶ１〜ＣＶ４中の一つの信号がアナログスイッチング部１０７で選択された後、前記オンスクリーン発生部１０６のブランキング信号ＢＬによりそのオンスクリーン信号と映像信号合成部１０８で合成され、該映像信号合成部１０８の出力信号はバッファー１０９で増幅して出力される。このように、バッファー１０９で出力する信号及び前記エンコーダ１５６で出力する合成映像信号ＶＯはマイクロコンピュータ１０１の選択信号Ｓ３によりアナログスイッチング部１５７で選択された後ＶＴＲ３０に録画映像信号ＲＶとして印加し録画される。」（段落【００１１】）
　
(４)「一方、マイクロコンピュータ１０１は外部から異常感知信号が入力するとき、アラーム信号を出力してアラームを鳴らし、この場合、マイクロコンピュータ１０１はカメラ映像信号ＣＶ１〜ＣＶ４中前記異常感知信号の入力される方のカメラ映像信号を選択し得るように選択信号Ｓ１，Ｓ２を出力することにより、そのカメラ映像信号がアナログスイッチング部１０７で選択されて出力され、このとき、マイクロコンピュータ１０１でバッファー１０９の出力信号を選択するための選択信号Ｓ３を出力することにより、前記アナログスイッチング部１０７で選択したカメラ映像信号は映像信号合成部１０８、バッファー１０９及びアナログスイッチング部１５７を通ってＶＴＲ３０に録画信号ＲＶとして印加し録画される。」（段落【００１２】）
　
(５)「異常の発生した方のカメラ映像信号を選択して録画し、モニター等に表示し得るようになるため監視の機能を完璧に行い得る効果がある。」（段落【００１３】）
　
　
［刊行物１］
　上記刊行物１には、図面と共に以下の事項が記載されている。
　
(６)「第４図は、本発明の第２の実施例におけるビデオフロッピー記録装置のブロック図である。」（第３ページ左下欄第９、１０行）
　
(７)「２５は入力切替スイッチであり、例えばフィールド毎にカメラ１〜４の出力を選択し、メモリ回路１０に出力する。」（第３ページ右下欄第１０〜１２行）
　
(８)「まず、入力切替スイッチ２５はカメラ１の出力を選択する。入力切替スイッチ２５がカメラ１の出力を選択しているときは、メモリ回路１０にはカメラ１が出力している映像信号が入力されている。入力された映像信号は、Ａ／Ｄ変換器１０ａによってディジタル信号に変換され、変換されたディジタル信号は、メモリ制御回路１０ｃによって指定された画像メモリ１０ｂのアドレスに書き込まれる。このとき、第１に実施例と同様に、例えば４画面記録をするために、ディジタル信号を１／４に削減する。これはＡ／Ｄ変換速度に比べ、アドレス指定速度を１／４にすることにより実現され、１画面分の画像メモリ１０ｂに４画面分のディジタル信号を書き込むことが可能となる。こうしてカメラ１の画像を画像メモリ１０ｂに書き込む。
　次に、入力切替スイッチ２５がカメラ２の出力を選択し、メモリ回路１０にはカメラ２が出力している映像信号が入力される。同様にして入力された映像信号は、Ａ／Ｄ変換器１０ａによってディジタル信号に変換され、変換されたディジタル信号は、メモリ制御回路１０ｃによって指定された画像メモリ１０ｂのアドレスに書き込まれる。
　カメラ３及びカメラ４の場合も同様にして行われ、１フィールド分の画像メモリ１０ｂにカメラ１〜４の４つの画面が書き込まれる。
　書き込み終了後、メモリ制御回路１０ｃによって指定された画像メモリ１０ｂのアドレスから、ディジタル信号は読み出され、Ｄ／Ａ変換器１０ｄによってアナログ信号に変換する。このとき、例えば第５図のようなマルチ画面にして記録処理回路２に出力する。」（第３ページ右下欄第１６行〜第４ページ右上欄第６行）
　
(９)「記録処理回路２は信号処理を行い、記録アンプ３により信号増幅をし、記録ヘッド４にてビデオフロッピー上の１トラツクに記録する。」（第４ページ右上欄第７〜９行）
　
(１０)「以上のように、４画面にして記録することにより、ビデオフロッピーに最高２００枚の画面を記録し、かつ、ほぼ同一時間の異なる場面の複数画像を記録することが可能となる。」（第４ページ右上欄第１０〜１３行）
　
(１１)「また、記録媒体を磁気ディスクとしたが、磁気テープとし、例えば監視用タイムラプスＶＴＲに利用すると記録時間の長時間が図れる。」（第４ページ右上欄第２０行〜同左下欄第２行）
　
(１２)「映像信号の記録モードには、「フィールド記録」と「フレーム記録」とがあり、」（第２ページ左上欄第４、５行）
　
　
　
２.対比
　本願発明と刊行物２に記載された発明（以下「刊行物２発明」という）とを対比する。
　
(１)前提構成について
　
ア.「複数ｎのビデオカメラで撮像して得られる映像情報」について
　刊行物２発明の「監視用ビデオカメラ１１〜１４から出力されるカメラ映像信号ＣＶ１〜ＣＶ４」は、上記第３.１.(１)の記載によれば、本願発明でいう「複数ｎのビデオカメラで撮像して得られる映像情報」に相当することが明らかである。
　
イ.「複数入力長時間間欠記録モード」について
　刊行物２発明では、上記第３.１.(１)及び(３)の記載によれば、カメラ映像信号ＣＶ１〜ＣＶ４のうちの選択信号Ｓ１、Ｓ２により選択されたいずれかの信号、又はエンコーダ１５６から出力される合成映像信号ＶＯが選択信号Ｓ３により選択され、ＶＴＲ３０に録画信号として印加される。
　ここで、エンコーダ１５６から出力される合成映像信号ＶＯは、上記第３.１.(３)の記載によれば、カメラ映像信号ＣＶ１〜ＣＶ４が第３図のように合成されたものであるから、選択信号Ｓ３により「合成映像信号ＶＯが選択されてＶＴＲ３０に録画される状態」は、「複数入力記録モード」といえるが、その際の記録が「長時間間欠記録」であるのか否かついては何ら記載がない。
　刊行物２発明における「合成映像信号ＶＯが選択されてＶＴＲ３０に録画される状態」は、「複数入力記録モード」といえる点で本願発明と一致し、その際の記録が「長時間間欠記録」であるのか否かついて何ら記載のない点で本願発明と相違する。
　
ウ.「フル画面連続記録モード」について
　刊行物２発明において、カメラ映像信号ＣＶ１〜ＣＶ４のうちの選択信号Ｓ１、Ｓ２により選択されたいずれかの信号が選択信号Ｓ３により選択されてＶＴＲ３０に録画される状態は、本願発明でいう「フル画面連続記録モード」といえる。
　
エ.「ビデオ装置」について
　刊行物２発明の「回路部１００」と「ＶＴＲ３０」とを合わせたものが、本願発明でいう「ビデオ装置」に対応することは明らかである。
　
オ.まとめ（前提構成について）
　刊行物２発明と本願発明とは、「複数ｎのビデオカメラで撮像して得られる映像情報に対し、複数入力記録モードとフル画面連続記録モードとを選択可能なビデオ装置」に係るものとして一致する。
　もっとも、刊行物２には、「複数入力記録モード」での記録が「長時間間欠記録」であるのか否かついて何ら記載のない点で本願発明と相違することは、前記のとおりである。
　
　
(２)「映像縮小／合成処理手段」について
　刊行物２発明の「第１〜４映像信号処理部１１０〜１４０」は、上記第３.１.(２)及び(３)の記載によれば、カメラ映像信号ＣＶ１〜ＣＶ４をディジタル信号に変換した上で順次ラム１１６に記録した後、ＴＶ受像機２０の第１〜４分割領域走査期間に再び読んで出力し、その結果、「エンコーダ１５６」からは、第３図にあるように、各カメラ映像信号ＣＶ１〜ＣＶ４が４分割された画面の各領域に合成され合成映像信号ＶＯとして出力される。
　刊行物２発明の「第１〜４映像信号処理部１１０〜１４０」と「エンコーダ１５６」とを合わせたものは、「複数入力記録モードが選択された際、複数ｎのビデオカメラから得られるｎ系統の映像情報をそれぞれ縮小し、ｎ分割された各々の異なる映像情報を１画面の映像として合成する映像縮小／合成処理手段」である点で、本願発明の「映像縮小／合成処理手段」と一致するものといえる。
　もっとも、刊行物２には、「１画面の映像として合成する」「各々の異なる映像情報」が「ｎ画面分」であるのか否かについて何ら記載がない点、「１画面」が「１フレーム」であるとも「１フィールド」であるとも記載がない点で本願発明とは相違する。
　
　
(３)「ＤＣＴ変換手段」及び「映像信号／圧縮手段」について
　刊行物２発明のＶＴＲ３０には、上記第３.１.(３)の記載によれば、第１〜４映像信号処理部１１０〜１４０から出力される映像信号がディジタル／アナログ変換器１５３〜１５５でアナログ信号に変換された上で合成映像信号ＶＯとして印加されるから、その記録はアナログ記録であり、デジタル記録を前提としたＤＣＴ変換や量子化を行うものではない。
　刊行物２発明は、本願発明でいう「前記映像縮小／合成処理手段から出力される映像情報をＤＣＴ変換してＤＣＴ係数を得るＤＣＴ変換手段」及び「前記ＤＣＴ係数を量子化することにより圧縮処理する映像信号／圧縮手段」を有していない。相違が認められる。
　
　
(４)「データ記録手段」について
　上記第３.２.(１)イ.で前記したように、刊行物２発明では、カメラ映像信号ＣＶ１〜ＣＶ４のうちの選択信号Ｓ１、Ｓ２により選択されたいずれかの信号、又はエンコーダ１５６から出力される合成映像信号ＶＯが選択信号Ｓ３により選択され、ＶＴＲ３０に録画信号として印加される。
　刊行物２発明の「ＶＴＲ３０」が、本願発明でいう「映像情報を記録媒体に記録するデータ記録手段」に相当することは明らかである。
　もっとも、「記録媒体に記録する」「映像情報」が、刊行物２発明では、ＤＣＴ変換及び量子化されたものでなく、相違が認められることは、前記のとおりである。
　
　
(５)「記録スピード制御手段」について
　刊行物２には、「通常スピードの１／ｎの走行スピードに制御する記録スピード制御手段」について何ら記載がない。相違が認められる。
　
　
(６)「センサ」について
　刊行物２発明の「マイクロコンピュータ１０１」は、上記第３.１.(４)の記載によれば、外部から異常感知信号の入力があると、カメラ映像信号ＣＶ１〜ＣＶ４中前記異常感知信号の入力される方のカメラ映像信号がアナログスイッチング部１０７で選択されるよう選択信号Ｓ１、Ｓ２を出力する。
　この場合、選択信号Ｓ１、Ｓ２により「異常感知信号の入力される方のカメラ映像信号」が選択される以上、刊行物２発明には、本願発明でいう「前記複数ｎのビデオカメラから得られるｎ系統の映像情報について、異常発生を検出するセンサ」の存在が認められる。
　
　
(７)「第１のスイッチ」について
　上記第３.２.(６)で前記したように、刊行物２発明では、外部から異常感知信号の入力があると、選択信号Ｓ１、Ｓ２により、カメラ映像信号ＣＶ１〜ＣＶ４中前記異常感知信号の入力される方のカメラ映像信号が「アナログスイッチング部１０７」で選択される。
　刊行物２発明の「アナログスイッチング部１０７」は、本願発明でいう「前記センサの検出結果に基づいて、前記ｎ系統の映像情報のうち、前記センサにより異常発生が検出された系統の映像情報を選択する第１のスイッチ手段」に相当する。
　
　
(８)「第２のスイッチ」について
　刊行物２発明では、合成映像信号ＶＯがアナログスイッチング部１５７で選択されてＶＴＲ３０に録画される「複数入力記録モード」（上記第３.２.(１)イ.）において、外部から異常感知信号の入力があると、上記第３.２.(６)で前記したように、カメラ映像信号ＣＶ１〜ＣＶ４のうち前記異常感知信号の入力される方のカメラ映像信号（選択信号Ｓ１、Ｓ２により選択されたいずれかのカメラ映像信号）が選択信号Ｓ３により「アナログスイッチング部１５７」で選択されてＶＴＲ３０に録画される「フル画面連続記録モード」（上記第３.２.(１)ウ.）に切り換わる。
　刊行物２発明の「アナログスイッチング部１５７」は、「前記センサの検出結果に基づいて、複数入力記録モードとフル画面連続記録モードとを自動的に切り換える第２のスイッチ手段」といえる点で、本願発明と一致する。
　もっとも、刊行物２には、「複数入力記録モード」での記録が「長時間間欠記録」であるのか否かついて何ら記載の無い点で本願発明と相違することは、前記のとおりである。
　
　
(９)「制御手段」について
　刊行物２発明の「マイクロコンピュータ１０１」は、上記第３.２.(６)及び(８)で前記したように、「複数入力記録モード」（上記第３.２.(１)イ.）において、外部から異常感知信号の入力があると、「フル画面連続記録モード」（上記第３.２.(１)ウ.）に切り換わるよう、選択信号Ｓ１〜Ｓ３を出力する。
　刊行物２発明の「マイクロコンピュータ１０１」は、「通常は前記複数入力記録モードで前記ｎ系統の映像情報の記録を行っており、前記センサが異常を検出した際、前記第１及び第２のスイッチ手段を制御し、直ちにフル画面連続記録モードに移行して、前記センサにより異常発生が検出された系統の映像情報のフル画面連続記録を行う制御手段」である点で、本願発明の「制御手段」に一致する。
　もっとも、前記のとおり、「複数入力記録モード」での記録が「長時間間欠記録」であるのか否か定かでない点（上記第３.２.(１)イ.）、「記録スピード制御手段」について何ら記載の無い点（上記第３.２.(５)）に加え、センサが異常を検知した際、「センサ」を制御することについて何ら記載がない点についても、本願発明の「制御手段」とは相違する。
　
　
(１０)一致点、相違点
　
　以上から、本願発明と刊行物２発明とは、
［一致点］
「複数ｎのビデオカメラで撮像して得られる映像情報に対し、複数入力記録モードとフル画面連続記録モードとを選択可能なビデオ装置において、
　前記複数入力記録モードが選択された際、前記複数ｎのビデオカメラから得られるｎ系統の映像情報をそれぞれ縮小し、ｎ分割された各々の異なる映像情報を１画面の映像として合成する映像縮小／合成処理手段と、
　映像情報を記録媒体に記録するデータ記録手段と、
　前記複数ｎのビデオカメラから得られるｎ系統の映像情報について、異常発生を検出するセンサと、
　前記センサの検出結果に基づいて、前記ｎ系統の映像情報のうち、前記センサにより異常発生が検出された系統の映像情報を選択する第１のスイッチ手段と、
　前記センサの検出結果に基づいて、複数入力記録モードとフル画面連続記録モードとを自動的に切り換える第２のスイッチ手段と、
　通常は前記複数入力記録モードで前記ｎ系統の映像情報の記録を行っており、前記センサが異常を検出した際、前記第１及び第２のスイッチ手段を制御し、直ちにフル画面連続記録モードに移行して、前記センサにより異常発生が検出された系統の映像情報のフル画面連続記録を行う制御手段と
　を有することを特徴とするビデオ装置。」
　である点で一致し、次の各点で相違する。
　
［相違点１］
　本願発明では、「映像縮小／合成処理手段」が「１画面の映像として合成する」「各々の異なる映像情報」が「ｎ画面分」であるとともに、「通常スピードの１／ｎの走行スピードに制御する記録スピード制御手段」を備え、かかる構成をもって「複数入力記録モード」での記録を「長時間間欠記録」としているのに対し、刊行物２には、「映像縮小／合成処理手段」が「１画面の映像として合成する」「各々の異なる映像情報」が「ｎ画面分」であるのか否かについて何ら記載はなく、「通常スピードの１／ｎの走行スピードに制御する記録スピード制御手段」についても記載がなく、「複数入力記録モード」での記録が「長時間間欠記録」であるのか否か不明である点。
　
［相違点２］
　「１画面」が、本願発明では「１フレーム」であるのに対し、刊行物２には、「１フレーム」であるとも「１フィールド」であるとも記載がない点。
　
［相違点３］
　本願発明では、「映像縮小／合成手段」と「データ記録手段」との間に、「映像信号をＤＣＴ変換してＤＣＴ係数を得るＤＣＴ変換手段」及び「ＤＣＴ係数を量子化することにより圧縮処理する映像信号／圧縮手段」を有しているのに対し、刊行物２発明は、アナログ記録を行うものであって、ＤＣＴ変換や量子化を行うものでない点。
　
［相違点４］
　「センサが異常を検知した際」における「制御手段」の動作について、本願発明では、「センサ」を制御するのに対し、刊行物２には、「センサ」を制御することについて何ら記載がない点。　
　
　
　
３.判断
　上記各相違点について検討する。
　
(１)［相違点１］について
　
ア.刊行物１発明
　刊行物１には、上記第３.１.(６)〜(１２)の記載によれば、複数のカメラ１〜４から得られる４系統の映像信号をフィールド毎に選択し、それぞれ１／４に縮小し、それらを１フィールドの映像として合成した上で監視用タイムラプスＶＴＲに記録するよう構成することにより、記録時間の長時間化を図るようにした発明（以下「刊行物１発明」という)が記載されている。
　ここで、刊行物１発明では、複数のカメラ１〜４から得られる４系統の映像信号はフィールド毎に選択されるから、合成されて記録される１フィールドの映像は、４フィールドの周期を有することが理解できる。
　刊行物１発明における記録は、「複数入力長時間間欠記録」であるといえる。
　
イ.容易性判断
　一般に、ビデオカメラとＶＴＲとを用いた監視システムにおいて、通常は、磁気テープの走行速度を通常の１／ｎにしてｎ画面毎に間欠的に記録を行う長時間間欠記録とすることで記録時間の長時間化を図り、アラーム入力時には、磁気テープの走行速度を通常にして全フレームを記録する連続記録に切り換えることで後で再生する場合に緊急事態を詳細に把握できるようにすることは周知であるから（特開昭６３−２１１８８４号公報（第２ページ左上欄第３〜１７行)等参照）、同じくビデオカメラとＶＴＲとを用いた監視システムに係る刊行物２発明においても、通常時に実行する「複数入力記録モード」での記録を「長時間間欠記録」とすることで記録時間の長時間化を図ろうとすることは何ら格別のことでなく、当業者が容易に想到し得たことである。
　そして、そのようにする場合、刊行物２発明は複数のカメラとＶＴＲとを用いた監視システムを前提としているところ、同じく複数のカメラとＶＴＲとを用いた監視システムにおいて長時間間欠記録を行う構成が刊行物１発明として知られているから、これを刊行物２発明に採用し、「通常スピードの１／ｎの走行スピードに制御する記録スピード制御手段」を設け、「映像縮小／合成処理手段」が「１画面の映像として合成する」「各々の異なる映像情報」を「ｎ画面分」とするとともに、「制御手段」が「記録スピード制御手段」を制御して「通常スピードの１／ｎの走行スピード」にし、「センサが異常を検出した際」、「制御手段」が「記録スピード制御手段」を制御して直ちに「通常スピード」にするよう構成することで、該「複数入力記録モード」を「複数入力長時間記録モード」とすることは当業者が容易に想到し得たことである。
　
　
(２)［相違点２］について
　一般に、映像信号の記録処理や間引き処理を行うにあたり、処理する画面の単位を「フィールド」単位とするか「フレーム」単位とするかは単なる選択事項にすぎないから（刊行物１：上記第３.１.(１２)、特開昭６３−２１１８８４号公報（第１頁左欄第１９行〜同右欄第１６行）等参照）、刊行物２発明においても、「１画面」を「１フレーム」とすることは単なる設計事項にすぎない。
　
　
(３)［相違点３］について
　一般に、デジタル信号に変換した映像に対しＤＣＴ変換等の高能率符号化処理を行った上で間欠記録することも、デジタル信号に変換した映像から生成したマルチ画面映像に対しＤＣＴ変換等の高能率符号化処理を行った上で記録することも、共にデジタル記録の手法として周知であり（特開平６−３０３７５号公報（段落【００１３】）、特開平５−９１３３４号公報（段落【００１２】）等参照）、しかも、ＤＣＴ変換後に量子化を行うことも常套である。
　刊行物１発明において、アナログ記録の代わりに上記周知の手法を採用し、「映像信号をＤＣＴ変換してＤＣＴ係数を得るＤＣＴ変換手段」及び「ＤＣＴ係数を量子化することにより圧縮処理する映像信号／圧縮手段」を設けてデジタル記録とすることは当業者が容易に想到し得たことである。
　
　
(４)［相違点４］について
　本願の実施例に係る発明の詳細な説明及び図面には、センサが異常を検知した際、「センサ」を制御することについて一切記載が無いから、それが何のためにどのように制御することを指しているのか不明であるところ、一般に、センサにより異常を検知するシステムにおいて、センサが異常を検知した際、その異常に対処するための処理を行うと同時に、新たな異常検知のためにセンサを初期化する等、センサに対し何らかの制御を行うことは常套であるから、刊行物２発明においても、センサが異常を検知した際、「センサ」を制御するよう構成することは当業者が容易に想到し得たことである。
　
　
　
４.効果等
　以上のとおり、上記相違点１ないし４に係る本願発明の構成は、いずれも当業者が容易に想到し得たものであるところ、上記各相違点を総合しても格別の作用効果を奏するものとはいえず、本願発明を全体としてみても、その作用効果は、刊行物１、２及び周知技術から当業者が予測できる範囲のものである。
　
　
　
５.まとめ（当審の判断）
　したがって、本願発明は、上記刊行物１、２に記載された発明及び周知技術に基づいて当業者が容易に発明をすることができたものである。
　
　
　
　
第４.むすび
　以上のとおり、本願請求項１に係る発明は、刊行物１、２に記載された発明及び周知技術に基づいて当業者が容易に発明をすることができたものであるから、他の請求項に係る発明について検討するまでもなく、本願は、特許法第２９条第２項の規定により特許を受けることができない。
　したがって、本願は拒絶をすべきものである。
　よって、結論のとおり審決する。